(57)【特許請求の範囲】
【請求項１】
金属線コイルからなるガイドワイヤの所定部分に湾曲形状の付形部を熱処理成形するための焼型であって、表面に前記付形部に対応した形状に沿って凹設されるとともに側面に開口した開口部を有する型溝を設けた板状の金型本体を備える焼型において、
複数個の前記金型本体を、隣接する前記金型本体の裏面と前記表面とが密着するように重ねるとともに、
この重ねられた複数個の前記金型本体のうち、一方の端に位置する前記金型本体の前記表面に当て板を当接し、
前記金型本体と前記当て板とを固定する固定手段を有し、
前記固定手段は、前記金型本体および前記当て板を挟み固定するアームを有し、前記アームの長さが前記金型本体の厚さと個数、および前記当て板の厚さに応じた所定長であることを特徴とする焼型。
【請求項２】
金属線コイルからなるガイドワイヤの所定部分に湾曲形状の付形部を熱処理成形するための焼型であって、表面に前記付形部に対応した形状に沿って凹設されるとともに側面に開口した開口部を有する型溝を設けた板状の金型本体を備える焼型において、
複数個の前記金型本体を、隣接する前記金型本体の裏面と前記表面とが密着するように重ねるとともに、
この重ねられた複数個の前記金型本体のうち、一方の端に位置する前記金型本体の前記表面に当て板を当接し、
前記金型本体と前記当て板とを固定する固定手段を有し、
前記固定手段は、前記金型本体に貫通されるピンにねじ締めされることによりなる締結手段であることを特徴とする焼型。
【請求項３】
金属線コイルからなるガイドワイヤの所定部分に湾曲形状の付形部を熱処理成形するための焼型であって、表面に前記付形部に対応した形状に沿って凹設されるとともに側面に開口した開口部を有する型溝を設けた板状の金型本体を備える焼型において、
複数個の前記金型本体を、隣接する前記金型本体の裏面と前記表面とが密着するように重ねるとともに、
この重ねられた複数個の前記金型本体のうち、一方の端に位置する前記金型本体の前記表面に当て板を当接し、
前記金型本体と前記当て板とを固定する固定手段を有し、
前記固定手段は、前記金型本体に貫通されるピンにクリップが挿入されたことによりなる係止手段であることを特徴とする焼型。
【請求項４】
請求項１ないし請求項３のいずれかに記載の焼型において、
各々の前記金型本体は、通気孔を有することを特徴とする焼型。
【請求項５】
請求項１ないし請求項４のいずれかに記載の焼型を用いたガイドワイヤの製造方法。
【請求項６】
請求項５に記載のガイドワイヤの製造方法において、オーステナイト系ステンレス鋼線材からなり、かつ、磁性を帯びた前記金属線コイルを用いることを特徴とするガイドワイヤの製造方法。
【請求項７】
請求項５または請求項６に記載のガイドワイヤの製造方法において、
前記金属線コイルに安全ワイヤを挿入して、前記安全ワイヤの前端を前記金属線コイルの付形すべき側の一端部に固定するとともに、この固定端以外を自由状態にして、前記金属線コイルから突き出してセットし、前記金属線コイルを前記焼型に挿入したまま熱処理成形し、その後、前記金属線コイルから突き出した部分の前記安全ワイヤを切断して、この切断端を前記金属線コイルの他端部に固定することを特徴とするガイドワイヤの製造方法。
【請求項８】
請求項５または請求項６に記載のガイドワイヤの製造方法において、
前記金属線コイルを前記焼型に挿入したまま熱処理成形し、その後、前記金属線コイルの内部に芯線と安全ワイヤを挿入し、前記安全ワイヤの前端を前記金属線コイルの付形した側の一端部に固定するとともに、前記安全ワイヤと前記芯線のそれぞれの後端を前記金属線コイルの他端部に固定することを特徴とするガイドワイヤの製造方法。
【請求項９】
請求項５ないし請求項８のいずれかに記載のガイドワイヤの製造方法において、加熱処理後の前記ガイドワイヤの外周に、電解研磨または電解研磨と電解研磨後の超音波洗浄を施すことを特徴とするガイドワイヤの製造方法。
【請求項１０】
請求項５ないし請求項９のいずれかに記載のガイドワイヤの製造方法において、加熱処理後の前記ガイドワイヤの外周に樹脂被覆を施し、さらにこの樹脂被覆の外周に親水性ポリマーの被覆層を設けることを特徴とするガイドワイヤの製造方法。
【発明の詳細な説明】
【技術分野】
【０００１】
本発明は、血管、尿管、器官等へのカテーテルの挿入や、血管の動脈瘤形成部への体内留置具の挿入の際にガイドとして用いられる医療用の分野等の用途に好適なガイドワイヤに係わり、特にガイドワイヤに付形部を成形するのに使用する、焼型およびその焼型を用いたガイドワイヤの製造方法に関するものである。
【背景技術】
【０００２】
ガイドワイヤ９は（図３参照）、ステンレス・プラチナ・金・タングステンなどの金属線を密着状にコイリングした可撓性の金属線コイル９１と、ステンレス・炭素鋼などの材質にて形成された芯線９２と、金属線コイル９１の伸びを防止するための安全ワイヤ９３とを有するとともに、一方の端部は、湾曲形状に曲成した付形部９４となっている（付形部９４側を前端側とする）。金属線コイル９１の内部に芯線９２および安全ワイヤ９３が挿入される。安全ワイヤ９３は両端が金属線コイル９１の両端部に固定されており、芯線９２は前端がテーパー状に形成されており、後端のみが、金属線コイル９１の後端に固定されている（図３（ａ）、図３（ｂ）参照）。
また、ガイドワイヤ９の付形部９４は、芯線９２が固定されていないため、柔軟となっている。これは、血管等を損傷しないようにするためである。
【０００３】
付形部９４を有するガイドワイヤ９の製造方法には、ガイドワイヤ９の芯線９２が固定されていない側の端部である前端部を、湾曲形状に凹設された型溝が設けられた金型本体内に挿入し、蓋体を被せた後、加熱炉に入れ、熱処理成形し、湾曲形状の付形部９４を成形するという方法がある（特許文献１）。
【０００４】
しかし、蓋体を被せるだけでは、熱処理による熱変形により、蓋体が脱落し、ガイドワイヤ９が脱落するなどの問題があり、品質の高い付形形状が得られないことがあった。
特に、金型本体とガイドワイヤとの熱膨張係数の差から生じる歪み、変形などにより、外径１ｍｍ以下のような線径が小さいガイドワイヤの付形部に変形を生じさせやすい。
また、同一金型本体により多形状の成形を可能にし、複数同時に効率よく成形するといった、生産性向上に繋がる手段は特許文献１には提示されていない。
【特許文献１】特許第３３００１５５号公報
【発明の開示】
【発明が解決しようとする課題】
【０００５】
本発明は、上記の問題点を解決するためになされたものであり、ガイドワイヤの付形部の成形に用いられて、ガイドワイヤの脱落を防止するとともに、高品質、高生産性にて加工することができる焼型及びガイドワイヤの製造方法を提供することを目的とする。
【課題を解決するための手段】
【０００６】
〔請求項１の手段〕
請求項１に記載の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体を備える焼型において、複数個の金型本体を、隣接する金型本体の裏面と表面とが密着するように重ねるとともに、この重ねられた複数個の金型本体のうち、一方の端に位置する金型本体の表面に当て板を当接し、金型本体と当て板とを固定する固定手段を有し、固定手段は、金型本体および当て板を挟み固定するアームを有し、アームの長さが金型本体の厚さと個数、および当て板の厚さに応じた所定長である。
【０００７】
これによれば、隣接する金型本体の裏面が金型本体の型溝が設けられた表面に密着するよう重ねられるため、隣接する金型本体が蓋体の役割をする。重ねられた複数個の金型本体のうち一方の端に位置する金型本体には当て板が当接させられ、当て板が蓋体の役割をする。したがって、個々の金型本体にそれぞれ蓋体を被せる必要はなくなり、作業工程を削減できる。また、金型本体および当て板を、固定手段により固定したことにより、型溝に挿入された金属線コイルの脱落の虞がなくなる。
また、複数の金型本体を重ねることで、重ねずに複数の金型本体を加熱炉内に入れる場合のように、加熱炉内で場所をとることがなく、スペースを節約できる。
また、固定手段は、金型本体および当て板を挟み固定するアームを有し、アームの長さが金型本体の厚さと個数、および当て板の厚さに応じた所定長でるため、工具を使うことなくアームで挟むだけで、複数個の金型本体と蓋体とが固定される。さらに、アームの長さを金型本体の厚さと個数、および蓋体の厚さに応じた長さとすることで、金型本体の所定個数のセットを可能とし、金型本体の個数を数える必要がなく、１個の金型本体当たりのガイドワイヤの数の情報だけで、成形されるガイドワイヤの総数を知ることができる。
【０００８】
〔請求項２の手段〕
請求項２に記載の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体を備える焼型において、複数個の金型本体を、隣接する金型本体の裏面と表面とが密着するように重ねるとともに、この重ねられた複数個の金型本体のうち、一方の端に位置する金型本体の表面に当て板を当接し、金型本体と当て板とを固定する固定手段を有し、固定手段は、金型本体に貫通されるピンにねじ締めされることによりなる締結手段である。
【０００９】
〔請求項３の手段〕
請求項３に記載の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体を備える焼型において、複数個の金型本体を、隣接する前記金型本体の裏面と表面とが密着するように重ねるとともに、この重ねられた複数個の金型本体のうち、一方の端に位置する金型本体の表面に当て板を当接し、金型本体と当て板とを固定する固定手段を有し、固定手段は、金型本体に貫通されるピンにクリップが挿入されたことによりなる係止手段である。
【００１０】
〔請求項４の手段〕
請求項４に記載の焼型では、各々の金型本体は、通気孔を有する。
これにより、複数の金型本体が、隣接する金型本体の裏面と表面とが重なるよう並べられ、加熱炉に入れられた場合でも、各金型本体へ、均一に熱量を加えることができる。
【００１１】
〔請求項５の手段〕
上記したような焼型を用いたガイドワイヤの製造方法を提供することにより、高品質、高生産性にてガイドワイヤを製造することができる。
【００１２】
〔請求項６の手段〕
請求項６に記載のガイドワイヤの製造方法では、オーステナイト系ステンレス鋼線材からなり、かつ、磁性を帯びた金属線コイルを用いる。
これにより、焼型への金属線コイルの組み付けが容易となる。すなわち、磁性を帯びた金属線コイルであれば、金型本体の裏面側に磁石を配置することで、金型本体へ金属線コイルを吸着することができ、焼型への組み付けが容易となる。
また、オーステナイト系ステンレス鋼線材を使用することによって、焼入れ硬化性や高温脆性がないので、熱処理成形後のガイドワイヤの柔軟性を保つことができる。
【００１３】
〔請求項７の手段〕
請求項７に記載のガイドワイヤの製造方法では、金属線コイルに安全ワイヤを挿入して、安全ワイヤの前端を金属線コイルの付形すべき側の一端部に固定するとともに、この固定端以外を自由状態にして、金属線コイルから突き出してセットし、金属線コイルを焼型に挿入したまま熱処理成形し、その後、金属線コイルから突き出した部分の安全ワイヤを切断して、この切断端を金属線コイルの他端部に固定する。
安全ワイヤの両端を金属線コイルの両端に固定したとすると、付形形状に曲げたときに、金属線コイルは曲率半径の大きい側に隙間を生じるため、金属線コイルの長さは伸びることになるが、安全ワイヤは容易に伸びないため、両端を伸びようとする金属線コイルに固定されている安全ワイヤには、引張応力が発生する。この引張応力のために、安全ワイヤの破損を招く虞がある。
このため、安全ワイヤの前端のみ固定し、その固定端以外は自由状態となることで、上記したような不具合を回避することができ、付形部を形成する際に、安全ワイヤに負担がかかることがなく、破損の虞を低減できる。
【００１４】
〔請求項８の手段〕
請求項８に記載のガイドワイヤの製造方法では、金属線コイルを焼型に挿入したまま熱処理成形し、その後、金属線コイルの内部に芯線と安全ワイヤを挿入し、安全ワイヤの前端を金属線コイルの付形した側の一端部に固定するとともに、安全ワイヤと芯線のそれぞれの後端を金属線コイルの他端部に固定する。
芯線および安全ワイヤを、熱処理成形後の金属線コイルに挿入したことにより、熱処理成形前に安全ワイヤを挿入し、安全ワイヤの両端を金属線コイルの両端に固定した場合に生じる、安全ワイヤに発生する引張応力による安全ワイヤの破損の虞を低減することができる。
【００１５】
〔請求項９の手段〕
請求項９に記載のガイドワイヤの製造方法では、加熱処理後のガイドワイヤの外周に、電解研磨または電解研磨と電解研磨後の超音波洗浄を施す。
これにより、ガイドワイヤの耐食性が向上する。
【００１６】
〔請求項１０の手段〕
請求項１０に記載のガイドワイヤの製造方法は、加熱処理後のガイドワイヤの外周に樹脂被覆を施し、さらにこの樹脂被覆の外周に親水性ポリマーの被覆層を設ける。
これにより、ガイドワイヤの外表面の滑性効果を得る事ができる。
【発明を実施するための最良の形態】
【００１７】
最良の形態１の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体を備える焼型において、複数個の金型本体を、隣接する金型本体の裏面と表面とが密着するように重ねるとともに、この重ねられた複数個の金型本体のうち、一方の端に位置する金型本体の表面に当て板を当接し、金型本体と当て板とを固定する固定手段を有し、固定手段は、金型本体および当て板を挟み固定するアームを有し、アームの長さが金型本体の厚さと個数、および当て板の厚さに応じた所定長である。また、金型本体は、通気孔を有する。
【００１８】
そして、ガイドワイヤの製造方法は、上記した焼型を用いる。
また、オーステナイト系ステンレス鋼線材からなり、かつ、磁性を帯びた金属線コイルを用いる。
また、安全ワイヤの前端を金属線コイルの付形すべき側の一端部に固定するとともに、この固定端以外を自由状態にして、金属線コイルから突き出してセットし、金属線コイルを焼型に挿入したまま熱処理成形し、その後、金属線コイルから突き出した部分の安全ワイヤを切断して、この切断端を金属線コイルの他端部に固定する。
しかる後に、加熱処理後のガイドワイヤの外周に、電解研磨または電解研磨と電解研磨後の超音波洗浄を施し、続いて、樹脂被覆を施し、さらにこの樹脂被覆の外周に親水性ポリマーの被覆層を設ける。
【００１９】
最良の形態２の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体を備える焼型において、複数個の金型本体を、隣接する金型本体の裏面と表面とが密着するように重ねるとともに、この重ねられた複数個の金型本体のうち、一方の端に位置する金型本体の表面に当て板を当接し、金型本体と当て板とを固定する固定手段を有し、固定手段は、金型本体に貫通されるピンにねじ締めされることによりなる締結手段である。
そして、ガイドワイヤの製造方法は、金属線コイルを焼型に挿入したまま熱処理成形し、その後、金属線コイルの内部に芯線と安全ワイヤを挿入し、安全ワイヤの前端を金属線コイルの付形した側の一端部に固定するとともに、安全ワイヤと芯線のそれぞれの後端を金属線コイルの他端部に固定する。
【００２０】
最良の形態３の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体を備える焼型において、複数個の金型本体を、隣接する前記金型本体の裏面と表面とが密着するように重ねるとともに、この重ねられた複数個の金型本体のうち、一方の端に位置する金型本体の表面に当て板を当接し、金型本体と当て板とを固定する固定手段を有し、固定手段は、金型本体に貫通されるピンにクリップが挿入されたことによりなる係止手段である。
【実施例１】
【００２１】
〔実施例１の構成〕
実施例１の焼型１の構成を、図１および図３を用いて説明する。
本実施例の焼型１は、金属線コイル９１と複数個の金型本体２を、隣接する金型本体２の裏面２２と表面２１とが密着するように重ねた構成を有する。また、この重ねられた複数個の金型本体２のうち、一方の端の金型本体２Ａには、表面２１に当て板６を当接し、金型本体２および当て板６を、固定手段７により固定したことからなる。
【００２２】
金型本体２は、被成形物であるガイドワイヤ９の金属線コイル９１と同種の材料にて形成される。すなわち、本実施例では、金属線コイル９１は、オーステナイト系ステンレス鋼線材にて形成されており、金型本体２は、それと熱膨張係数、熱伝導率がいずれも等しい同種の材料であるオーステナイト系ステンレス鋼、又はオーステナイト系ステンレス快削鋼にて形成されている。
金型本体２は、長方形の板状であって、長辺に沿う方向が長手方向、短辺に沿う方向が短手方向である。
金型本体２の表面２１には、金型本体２の長手方向に向かって型溝４が設けられている。
【００２３】
型溝４は、金型本体２の表面に凹設され、金型本体２の短手方向に平行な側面に開口した開口部４１を有する。さらに、型溝４は、開口部４１から直線的に凹設された直線部４２と、直線部４２から滑らかに連続して約２７０度の円弧形状に凹設された湾曲部４３とを有する。型溝４の溝幅と溝深さはガイドワイヤ９の直径に対応した大きさであり、断面形状は矩形形状である。本実施例では、ガイドワイヤ９の直径が０．８９ｍｍで、型溝４の溝幅と溝深さは、ともに０．９ｍｍで形成されている。型溝４の断面形状は矩形形状に限らず、半円状などでもよい。
【００２４】
複数個の金型本体２は、金型本体２の型溝４が設けられた表面２１を垂直にし、長手方向に平行な側面を下にして配されている。隣接する金型本体２の裏面２２と表面２１とは密着するように重ねられ、重ねられた複数個の金型本体２は、型枠６Ａに取り付けられる。それぞれの金型本体２には同じ位置に貫通穴２６と通気孔２７が設けられている。
【００２５】
型枠６Ａは、床６１と、床６１から垂直に設けられた後壁６２と、床６１および後壁６２と垂直に設けられる側壁６３と、側壁６３に設けられたピン６４を有する。
図１（ａ）に示すごとく、複数個の金型本体２は、表面２１を側壁側にし、開口部４１が設けられていない側の側面を後壁側にして、貫通穴２６にピン６４が通され、型枠６Ａにセットされる。このようにして、隣接する金型本体２の裏面２２と表面２１とが密着するように重ねられ、図１（ｂ）に示すごとく金型本体２が型枠６Ａにセットされる。
【００２６】
床６１には、ガイドワイヤ９を金型本体２の型溝４に挿入した際に金型本体２からはみ出るガイドワイヤ９を開口部４１と平行に設置するためのセット治具部６５が設けられている。平行に設置する理由は、この部分の折れ曲がり・変形を防止するためである。特に、本実施例のガイドワイヤ９は細径（直径１ｍｍ以下）であり、自重により変形しやすく、且つ金型本体２による伝導熱、雰囲気中での対流熱との差を受け易いポイントであるからである。
【００２７】
当て板６は、本実施例では、側壁６３のことである。側壁６３は、重ねられた金型本体２の側壁側の端に配置された金型本体２Ａの表面２１に当接し、蓋体の役割をする。側壁側の端に配置された金型本体２Ａ以外の金型本体２は、隣接する金型本体２が蓋体の役割をする。
【００２８】
重ねられた金型本体２と、側壁側の端に位置する金型本体２Ａの当て板６である側壁６３とは固定手段７であるアーム治具７Ａにより固定される。
アーム治具７Ａは、重ねられた金型本体２を挟むアーム部７１と、アーム部７１の根元に設けられた錘の役目をするウェイト部７２とを有する。
ウェイト部７２は、ピン６４に通された一番外側の端の金型本体２に接するように配置される部分であり、金型本体２の通気孔２７と対応する位置に通気孔７３が設けられるとともに、型枠６Ａのピン６４が通る溝７４、および把持部７５が設けられている。
アーム部７１の挟む部分の長さＬは、金型本体２の個数に金型本体２の厚さを乗じ、側壁６３の厚さを足した分の長さと等しく、アーム部７１は貫通穴２６にピン６４が通され型枠６Ａにセットされた金型本体２と当て板６である側壁６３を挟む。
【００２９】
〔実施例１の製造方法〕
図３に示すごとく、ガイドワイヤ９は、金属線コイル９１の内部に芯線９２および安全ワイヤ９３が挿入され、安全ワイヤ９３の両端を金属線コイル９１の両端部に固定し、前端がテーパー状に形成された芯線９２の後端を金属線コイル９１の後端部に固定してなる。また、ガイドワイヤ９は前端部に湾曲形状の付形部９４を有する。このガイドワイヤ９の製造方法は以下の手順からなっている。
【００３０】
金属線コイル９１に、安全ワイヤ９３を挿入し、安全ワイヤ９３の前端を金属線コイル９１の付形すべき側の端部である前端部にロー付け溶着する。前端を固定した安全ワイヤ９３は金属線コイル９１の中空部を自由状態で貫挿し、安全ワイヤ９３の後端は、金属線コイル９１から突き出した状態でセットされる。
続いて、金型本体２の裏面側に磁石（図示せず）を置き、安全ワイヤ９３の挿入された金属線コイル９１の前端部を金型本体２の型溝４に組み付け、例えば、５個の金型本体２に、それぞれガイドワイヤ９を挿入し、金型本体２の貫通穴２６に型枠６Ａのピン６４を貫通させ、セットする。そして、５個の金型本体２の厚さに型枠６Ａの側壁６３の厚さを足した長さのアーム部７１を有するアーム治具７Ａを溝７４に型枠６Ａのピン６４が通るよう、型枠６Ａおよび金型本体２に置く。
その後に、型枠６Ａごと加熱炉に入れ、熱処理成形を施す。
【００３１】
熱処理成形後、前端にテーパーが形成された芯線９２を金属線コイル９１に挿入し、芯線９２および安全ワイヤ９３の金属線コイル９１から突き出した部分を切断し、芯線９２および金属線コイル９１のそれぞれの切断端である後端を金属線コイル９１の後端部に溶着固定する。
【００３２】
しかるのち、付形成形されたガイドワイヤ９の付形部９４を電解液に浸漬して、公知の手段により電解研磨を施し、さらに必要に応じてその電解研磨した部分に公知の手段により、超音波洗浄を施す。
続いてガイドワイヤ９を架設治具に取り付けて、スプレーガンによってポリテトラフルオロエチレンを吹き付け、その後、加熱炉に入れ、３８０℃で３０分のポリテトラフルオロエチレンの焼成乾燥を施すことにより、ガイドワイヤ９の外周に樹脂被覆の被覆処理を施す。その後、樹脂被覆の外周にディッピング工法等により、外表面に親水性ポリマーの被覆層を設ける。
【００３３】
〔実施例１の効果〕
金型本体２は、金属線コイル９１と同種の材料にて形成された。これにより、金型本体２と金属線コイル９１との間の熱膨張係数、熱伝導率の差をなくして、付形形状の安定成形が可能となる。
この実施例では、金属線コイル９１の材質は熱膨張係数が一般炭素鋼の１．５〜１．６倍であるオーステナイト系ステンレス鋼である。この場合に、一般炭素鋼で形成された金型本体２を用いるとすると、金属線コイル９１と金型本体２の熱膨張係数の差により、熱処理成形の際に金型本体２の型溝４内での金属線コイル９１の蛇行、歪み、変形を生じやすく、さらに、熱処理成形後の金型本体２からの取り出しも容易に行えない虞がある。又、熱伝導率差を生ずる材料を用いると、昇降温時のタイムラグの発生により、蛇行、歪み、変形を生じやすい。特に、本実施例ではガイドワイヤ９の直径が０．８９ｍｍであり、これに用いる安全ワイヤ９３は細径（幅０．２６５ｍｍ、板厚０．０６５ｍｍ）であり、この熱影響を大きく受けやすいからである。
一方、金型本体２に金属線コイル９１と同種のオーステナイト系ステンレス鋼、又はオーステナイト系ステンレス快削鋼を用いることで、上述したような不具合を回避することができ、付形形状の安定成形が可能となる。
【００３４】
尚、金型本体２にオーステナイト系ステンレス快削鋼を用いる理由は、金型本体２には、細径の溝幅と溝深さ（ともに０．９ｍｍ）、且つ湾曲形状の型溝４を加工しなければならず金型表面肌、切削傷などを良好とさせる加工性の観点から、又、工具寿命が長く、且つ切り屑処理が容易な快削鋼が望ましいからである。
【００３５】
また、本実施例によれば、隣接する金型本体２の裏面２２が金型本体２の型溝４が設けられた表面２１に密着するよう重ねられるため、隣接する金型本体２が蓋体の役割をする。また、重ねられた複数個の金型本体２のうち一方の端に位置する金型本体２Ａには側壁６３が重ねられ蓋体の役割をする。したがって、個々の金型本体２にそれぞれ蓋体を被せる必要はなくなり、作業工程を削減できる。
さらに、複数の金型本体２を重ねているため、特に、各々の金型本体２の表面２１を垂直にして重ねられているため、重ねない場合に比べ、加熱炉内でスペースを節約できる。
また、各々の金型本体２が付形部９４側に通気孔２７を有することで、各々の金型本体２の付形部へ、均一に熱量を加えることができる。
【００３６】
また、重ねられた金型本体２と側壁６３とを、アーム治具７Ａにより固定したことにより、重ねられた金型本体２が互いにぴったりと合わせられ固定されるとともに、側壁側の端に位置する金型本体２Ａと側壁６３とが固定されるため、各々の金型本体２の型溝４に挿入されたガイドワイヤ９の脱落の虞がなくなる。
また、アーム部７１の長さＬを、金型本体２の厚さと個数、および当て板６である側壁６３の厚さに応じた長さとすることで、金型本体２の所定個数のセットが可能となる。本実施例のアーム治具７Ａは、金型本体５個用のアーム部７１を有するものであったが、金型本体１０個用なども可能である。このように、所定個数のセットが可能となることで、何個用のアーム治具７Ａを使ったかの情報と、１個の金型本体２当たりのガイドワイヤ９の本数の情報だけで、成形されるガイドワイヤ９の総数を知ることができるため、金型本体２の個数を数える必要がなく、作業の効率化に繋がり、生産性が向上する。
【００３７】
この実施例の製造方法では、オーステナイト系ステンレス鋼線材にて形成された金属線コイル９１を用いた。
オーステナイト系ステンレス鋼線材は、ダイスによる伸線加工により、加工誘起変態して磁性を帯びる。したがって、金型本体２の下に磁石を配置し、型溝４に金属線コイル９１を挿入すると、磁力により金属線コイル９１は金型本体２に吸着するため、焼型１への金属線コイル９１の組み付けが容易となる。
また、オーステナイト系ステンレス鋼線材を使用することによって、焼入れ硬化性や高温脆性がないので、成形後のガイドワイヤ９の柔軟性を保つことができる。
【００３８】
また、この製造方法では、金属線コイル９１に、安全ワイヤ９３を挿入し、安全ワイヤ９３の前端を金属線コイル９１の付形すべき側の端部である前端部に固定し、その固定端以外を自由端とし安全ワイヤ９３の後端部は金属線コイル９１から突き出した状態でセットし、安全ワイヤ９３の挿入された金属線コイル９１を焼型１に組み付けた。
【００３９】
安全ワイヤ９３の両端を金属線コイル９１の両端部に固定してから、円弧形状に曲げて成形すると、金属線コイル９１は曲率半径の大きい側に線間に隙間を生じるため、金属線コイル９１の長さは伸びることになる。一方、安全ワイヤ９３は容易に伸びないため、両端部が伸びようとする金属線コイル９１に固定されている安全ワイヤ９３には、引張応力が発生する。この引張応力のために、安全ワイヤ９３の破損を招く虞がある。
特に、本実施例で用いる安全ワイヤ９３は細径（幅０．２６５ｍｍ、板厚０．０６５ｍｍ）であり、かかる不具合を発生しやすい。
このため、安全ワイヤ９３の前端部のみ固定し、その固定端以外は自由状態となることで、上記したような不具合を回避することができ、付形部９４を形成する際に、安全ワイヤ９３に負担がかかることがなく、破損の虞を低減できる。
【００４０】
ガイドワイヤ９の金属線コイル９１にオーステナイト系ステンレス鋼線材を用いると、線材の冷間伸線加工によって加工誘起変態して磁性を帯び、ダイスによる伸線加工によって表面は鏡面状となるので、公知のファン・デル・ワールスの分子間吸着力が生じるうえ、コイル線間隙間構造のために異物・微小鉄粉が付着しやすくなる。そのため、すきま腐食や、もらい錆により耐食性が低下する虞がある。
そこで、付形成形されたガイドワイヤ９を電解液に浸漬して、電解研磨を施し、さらに超音波洗浄を施したことにより、金属表面の酸化スケールが除去され線材表面のクロム濃度が回復され不動態皮膜を形成されるために、上記したような不具合を防止して、耐食性が向上する。
【００４１】
また、熱処理成形後、ガイドワイヤ９の外周に樹脂被覆を施し、さらにこの樹脂被覆の外周に親水性ポリマーの被覆層を設けたことにより、ガイドワイヤ９の滑性効果が向上し、よりスムーズに血管や、尿管、気管などに挿入することが可能となる。
尚、ここでいう親水性ポリマーとは、湿潤時に潤滑性を有するポリビニルピロリドンなどの潤滑性物質をいう。
【実施例２】
【００４２】
〔実施例２の構成〕
実施例２の焼型１の構成を、図２（ａ）を用いて説明する。
本実施例の焼型１では、重ねられた金型本体２と側壁６３との固定手段７は、締結手段７Ｂである。
締結手段７Ｂは、座金付ナット７６をピン６４に設けられた雌ねじ部７７にねじ締めされることによりなる。
【００４３】
〔実施例２の製造方法〕
本実施例の製造方法では、熱処理成形後に、芯線９２および安全ワイヤ９３を、金属線コイル９１に挿入し、安全ワイヤ９３の前端を金属線コイル９１の前端部に溶着固定し、芯線９２および安全ワイヤ９３のそれぞれの後端を金属線コイル９１の後端部に溶着固定する。
【００４４】
〔実施例２の効果〕
ガイドワイヤ９の製造方法において、芯線９２および安全ワイヤ９３を、熱処理成形後に挿入し、金属線コイル９１に固定した。
これにより、安全ワイヤ９３を挿入して両端を金属線コイル９１の両端に固定した後に湾曲させ熱処理成形する場合に生じる、安全ワイヤ９３に発生する引張応力による安全ワイヤ９３の破損の虞を低減することができる。
【実施例３】
【００４５】
実施例３の焼型１の構成を、図２（ｂ）を用いて説明する。
本実施例の焼型１では、重ねられた金型本体２と側壁６３との固定手段７は係止手段７Ｃである。係止手段７Ｃは、クリップ７８をピン６４に設けられた溝７９に挿入されることによりなる。
【図面の簡単な説明】
【００４６】
【図１】焼型の斜視図であり、（ａ）は型枠に金型本体をセットする工程説明図、（ｂ）は型枠に金型本体をセットした後のアーム治具の組み付け図である（実施例１）。
【図２】焼型の斜視図であり、（ａ）は締結手段の組み付け図であり（実施例２）、（ｂ）は係止手段の組み付け図である（実施例３）。
【図３】ガイドワイヤの部分断面図であり、（ａ）は前端部の拡大断面図、（ｂ）は後端部の拡大断面図である。
【符号の説明】
【００４７】
１  焼型
２  金型本体
２１  表面
２２  裏面
２７  通気孔
４  型溝
４１  開口部
４２  直線部
４３  湾曲部
６  当て板
６Ａ  型枠
６３  側壁
６４  ピン
７  固定手段
７Ａ  アーム治具
７Ｂ  締結手段
７Ｃ  係止手段
７１  アーム部（アーム）
７８  クリップ
９  ガイドワイヤ
９１  金属線コイル
９２  芯線
９３  安全ワイヤ
【図１】
0004609895.tif 000002
【図２】
0004609895.tif 000003
【図３】
0004609895.tif 000004